(57)【要約】好適なスペクトル拡散プロトコルの下で選択的にデータ送信を開始しながら電力を保存できる小電力スペクトル拡散送受信機を提供する。送受信機は、電力を保存するディープスリープモードにありながら、ＤＳＳＳ回路を使用し、遠隔の受信装置２０からのＤＳＳＳ信号の拡散コードを捜して、予め決められた広帯域周波数を周期的にモニタする。適正な拡散信号を受信すると、限定されたデータ送信が開始される。ＤＳＳＳ信号は、復号化可能な情報であって、かつＤＳＳＳ受信モードからＦＨＳＳ通信／送信モードに切り換えるために利用可能な情報を含み、もしくはＦＨＳＳセッションは適正な起動信号の受信によって自動的に開始できる。ＦＨＳＳモードでは、エンドポイント装置１０の送受信機におけるＦＨＳＳ符号化されたデータが遠隔の受信装置２０に伝送される。データ転送が完了すると、送受信機は小電力のスリープモードに戻り、ＤＳＳＳのモニタを再開する。
2004505551.tif 000002
【特許請求の範囲】
【請求項１】
情報を伝送するためのＲＦ通信ネットワークであって、上記ＲＦ通信ネットワークは、複数の遠隔の受信装置と複数のエンドポイント装置とを備え、
上記遠隔の受信装置の各々は、
直接拡散スペクトル拡散信号を送信する送信機と、
周波数ホッピングスペクトル拡散信号を受信する受信機とを備え、
上記エンドポイント装置の各々は、
上記複数の遠隔の受信装置のうちの少なくとも１つから直接拡散スペクトル拡散信号を周期的に受信する受信機と、
拡散コードと上記遠隔の受信装置から受信された信号とを使用して、上記遠隔の受信装置との同期周波数ホッピングスペクトル拡散通信セッションを開始するために使用される起動情報及び他のデータを受信する復号化器と、
上記周波数ホッピングスペクトル拡散信号上でデータを上記遠隔の受信装置へ送信する送信機を備えたＲＦ通信ネットワーク。
【請求項２】
上記ＲＦ通信ネットワークはＲＦ無線メータ読み取りネットワークである請求項１記載のネットワーク。
【請求項３】
送受信機が、需給計器に設けられた符号化器と通信して上記需給計器によって発生されたデータを送信するように、上記エンドポイント装置は、無線メータ読み取りネットワークにおける上記需給計器に接続された上記送受信機である請求項１記載のネットワーク。
【請求項４】
上記エンドポイント装置の上記受信機はさらに、上記周波数ホッピングセッションの開始後に上記遠隔の受信装置から周波数ホッピングスペクトル拡散信号を受信することができる請求項１記載のネットワーク。
【請求項５】
上記遠隔の受信装置の上記送信機はさらに、上記周波数ホッピングセッションの開始後に上記エンドポイント装置へ周波数ホッピングスペクトル拡散信号を送信することができる請求項１記載のネットワーク。
【請求項６】
情報を伝送するためのＲＦ通信ネットワークであって、上記ＲＦ通信ネットワークは複数の遠隔の受信装置と複数のエンドポイント装置とを備え、
上記遠隔の受信装置の各々は、
直接拡散スペクトル拡散信号を送信する手段と、
周波数ホッピングスペクトル拡散信号を受信する手段とを備え、
上記エンドポイント装置の各々は、
上記複数の遠隔の受信装置のうちの少なくとも１つから直接拡散スペクトル拡散信号を周期的に受信する手段と、
拡散コードと上記遠隔の受信装置から受信された信号とを使用して起動し、かつ上記遠隔の受信装置との同期周波数ホッピングスペクトル拡散送信セッションを開始するために使用されるデータを受信する手段と、
上記周波数ホッピングスペクトル拡散信号上でデータを上記遠隔の受信装置へ送信する手段とを備えたＲＦ通信ネットワーク。
【請求項７】
上記ＲＦ通信ネットワークはＲＦ無線メータ読み取りネットワークである請求項６記載のネットワーク。
【請求項８】
送受信機が、需給計器に設けられた符号化器と通信して上記需給計器によって発生されたデータを送信するように、上記エンドポイント装置は、無線メータ読み取りネットワークにおける上記需給計器に接続された上記送受信機である請求項６記載のネットワーク。
【請求項９】
上記エンドポイント装置における受信する手段はさらに、上記周波数ホッピングセッションの開始後に上記遠隔の受信装置から周波数ホッピングスペクトル拡散信号を受信することができる請求項６記載のネットワーク。
【請求項１０】
上記遠隔の受信装置における送信する手段はさらに、上記周波数ホッピングセッションの開始後に上記エンドポイント装置へ周波数ホッピングスペクトル拡散信号を送信することができる請求項６記載のネットワーク。
【請求項１１】
情報を伝送するためのＲＦ通信ネットワークであって、上記ＲＦ通信ネットワークは、需給計器によって発生されたデータを収集するための複数のメータ読み取り装置と、複数の遠隔の受信装置とを備え、
上記メータ読み取り装置の各々は、
直接拡散スペクトル拡散信号を周期的に受信する受信機と、
後に周波数ホッピングスペクトル拡散搬送波上で送信するために上記データをデータのパケットに変調する変調器と、
拡散コードと上記受信された直接拡散スペクトル拡散信号とを使用して起動し、かつ同期周波数ホッピングスペクトル拡散送信セッションを開始するために使用されるデータを受信する復号化器と、
上記周波数ホッピングスペクトル拡散信号上でデータを送信する送信機とを有し、
上記遠隔の受信装置は、各遠隔の受信装置が複数の上記メータ読み取り装置からデータを受信することが可能であるように、かつ大部分の上記メータ読み取り装置によって送信される上記データが少なくとも２つの上記遠隔の受信装置の各々によって受信されることが可能であるように、メータ読み取り装置に関連してアレイ状に配置され、
上記各遠隔の受信装置は、
上記複数のメータ読み取り装置のうちの少なくとも１つに直接拡散スペクトル拡散信号を送信する送信機と、
上記メータ読み取り装置から上記データを含む上記周波数ホッピングスペクトル拡散信号を受信する受信機とを備えたＲＦ通信ネットワーク。
【請求項１２】
上記メータ読み取り装置の上記受信機はさらに、上記周波数ホッピングセッションの開始後に上記遠隔の受信装置から周波数ホッピングスペクトル拡散信号を受信することができる請求項１１記載のネットワーク。
【請求項１３】
上記遠隔の受信装置の上記送信機はさらに、上記周波数ホッピングセッションの開始後に上記メータ読み取り装置へ周波数ホッピングスペクトル拡散信号を送信することができる請求項１１記載のネットワーク。
【請求項１４】
直接拡散スペクトル拡散信号で受信されたデータから周波数ホッピングスペクトル拡散データ送信セッションを開始する方法であって、
遠隔の受信装置から直接拡散スペクトル拡散信号を送信するステップと、
上記遠隔の受信装置から上記直接拡散スペクトル拡散信号をエンドポイント装置で受信するステップと、
拡散コードが上記エンドポイント装置を小電力モードから起動し、かつ上記信号データが上記遠隔の受信装置との同期周波数ホッピングスペクトル拡散通信セッションを開始するように、上記エンドポイント装置で上記直接拡散スペクトル拡散信号を復号化するステップと、
上記エンドポイント装置から周波数ホッピングスペクトル拡散信号でデータを送信するステップと、
上記遠隔の受信装置において、上記エンドポイント装置から周波数ホッピングスペクトル拡散信号でデータを受信するステップとを含む方法。
【発明の詳細な説明】
【０００１】
【発明の属する技術分野】
本発明は無線送信システムに関し、特に、直接拡散スペクトル拡散及び周波数ホッピングスペクトル拡散技術の両方を利用して無線通信ネットワークを介してデータを転送する小電力送受信機に関する。
【０００２】
【従来の技術】
需給計器（ユーティリティ・メータ）読み取りの分野では、無線通信ネットワークは、複数のメータから消費量データを収集するように実装される。一般に、需給計器には、メータを通る消費量に基づいたデータを蓄積するエンドポイント装置が設けられている。このデータは、次に無線周波数（ＲＦ）ネットワークを介して送信され、遠隔して配置された端末局又は装置によって受信される。システム構成に依存して、このデータは次に処理される、及び／又は、他の遠隔の端末局又は装置へ再送信されることが可能である。本発明が実施可能であるところの例としてメータ読み取りネットワークが参照されるが、本発明は、低コスト、小電力の送受信機が必要とされるどのような無線システムにも使用可能である。
【０００３】
メータによる計量を行う無線の装置構成においては、スペクトル拡散技術を使用する、免許を必要としない送受信機は、米国連邦通信委員会（ＦＣＣ）の規則によって命じられるように、必ず小電力の必要条件の下で動作しなければならない。それに加えて、送受信機は多くの場合にハンドヘルド型の携帯装置に包含されるか又はエンドポイント装置に取り付けられるので、小電力送受信機の設計が必須である。何れの場合でも、送受信機や装置内の他の回路は電力をバッテリのような制限された電源から引き出すので、電力節約の問題は優先的問題である。これらの電力についての関心事の結果としては、利用可能な電力の最も効率的な利用を促進するために、不必要な送信、複雑な回路及び反復処理を最小限にすることが望ましい。このことが、コストを最小化するのと同時に実行できれば理想的である。
【０００４】
無線ネットワークにおいては、小電力の送受信機がデータを送信することを要求されない相当長い時間期間がしばしば存在する。貴重な電力を節約するためには、電力を保存する“スリープモード”がトリガーされる。スリープモードでは、送受信機はポーリング信号を待機する。ポーリング信号は、送受信機を起動して（送受信機のスリープモードを解除して）データを送信させる。一般にこのスリープモードでは、ポーリング信号を受信するために必要とされない回路はどれも、送信開始によって必要とされるまで電力を断たれる。
【０００５】
スペクトル拡散技術は、それが付加的なセキュリティと、ＦＣＣ規則の下での免許に係る恩恵（ｌｉｃｅｎｓｉｎｇ ｂｅｎｅｆｉｔｓ）と、耐干渉性とをもたらすことから無線ネットワークで広く利用されている。スペクトル拡散通信システムは、情報を送信するために実際に必要な帯域幅よりかなり広い帯域幅にわたって信号を送信する。従来のメータ読み取りネットワークで利用されるスペクトル拡散通信には、直接拡散スペクトル拡散（ＤＳＳＳ）及び周波数ホッピングスペクトル拡散（ＦＨＳＳ）の２つの形式がある。
【０００６】
ＤＳＳＳシステムでは、周波数搬送波を変調するために、ＰＮ拡散コード発生器が使用される。ＤＳＳＳシステムの帯域幅は、チップレートから誘導される。ＦＨＳＳシステムでは、送信機の搬送周波数はＰＮ拡散コードに従って変化し、受信機はその相補的なＰＮ拡散コードに基づいてその周波数を絶えず変化させる。周波数が占有される順序はコードから誘導され、周波数ホッピングのレートはチップレートの関数である。
【０００７】
ＦＨＳＳシステムは、データの短いバーストが、ＤＳＳＳ送信の下で得られるものより速いレートで送信されるので、メータ読み取りネットワークにおける必需品消費量データの送信において特に魅力あるものであることが明らかとなっている。それに加えて、ＦＨＳＳシステムの場合、複数の周波数間をジャンプする能力が干渉の機会を大幅に低減する。しかしながら、ＦＨＳＳシステムに関連付けられた上記の機能上の利点は、必然的に、低コスト、小電力の送受信機を必要とする無線ネットワークにおいて問題点を含むということがわかる。
【０００８】
【発明が解決しようとする課題】
ＦＨＳＳシステムは、比較的複雑な回路及び電力消費の多い回路を有する送受信機を必要とする。特に、送信機は、制御されなければ、最終的には周波数がふらつくか又はドリフトし、送受信機の動作が予測不可能なものになる。この問題に対応するためには、周波数のドリフトを安定させる必要がある。位相ロックループは、この周波数の安定性をもたらすために使用される典型的なものであるが、このようなロックする回路は高価でありかつ望ましくない電力の消費出力をもたらす。従って、ＦＨＳＳシステムの送信上の恩恵には魅力があるものの、システムが貴重なバッテリ電力を使用するときの効率を最大化する方法で電力を配分する必要がある。
【０００９】
ＤＳＳＳシステムもまた、無線通信ネットワークでの使用に対して恩恵をもたらす。本発明に関しては、ＤＳＳＳ信号を介したデータの送信は、周波数の安定性がさほど重要な問題ではないので、必ずしもロック回路の使用を必要としない。ＤＳＳＳ送受信機は、比較的“帯域幅が広がって拡散された（ｓｌｏｐｐｙ）”単一の周波数信号を用いて通信することができる。この単一の広帯域信号は、ＦＨＳＳシステムで使用されるような狭帯域送受信機の場合の問題点である、ランダム雑音によって送受信機がディープスリープモードから誤って起動される可能性を大幅に低減させる。特に、ＤＳＳＳ拡散コード単独では、送受信機を起動するように働くことができる。データが復号化可能であるときは、これに必要とされているのは、単に送受信機を起動させることだけではない。これらの理由により、諸問題は多くの場合に周波数の安定化に関連付けられ、電力を増大させることは回避される。しかしながら、先述したように、ＤＳＳＳシステムはＦＨＳＳシステムより低いデータレートで送信する。それに加えて、ＤＳＳＳ信号内で符号化されたデータを復号化することはより困難であり、かつ費用がかかる。ＤＳＳＳ信号内の情報は、単一の送信で広い帯域幅にわたって拡散されるので、受信時の情報の復号化又は“逆拡散”は比較的複雑な復号化器を必要とする。同様に、ＤＳＳＳ信号にデータを付与するためには複雑な符号化器が必要である。さらに、単一の送信周波数の使用は無線通信ネットワークにもう１つの欠点をもたらす。予め決められた周波数の使用は干渉の機会を増大させるので、データ送信が紛失されないことを一層確実にするためにネットワーク構造及び送信タイミングにおける革新を必要とする。
【００１０】
ＤＳＳＳシステム及びＦＨＳＳシステムの長所と弱点を考慮して、標準的な実施例では、与えられたアプリケーションに応じたコストと性能との特定のバランスに依存して、どちらか一方のシステムのプロトコルを使用してきた。特にメータ読み取りの分野では、典型的にはＦＨＳＳシステムを実装することが選択されている。複数のエンドポイント装置が複数の遠隔の受信装置に短いデータのバーストを周期的に送信する無線ネットワークでは、ＦＨＳＳシステムに関連付けられた信号干渉上の利益及び送信レートの増大の方が、それをＤＳＳＳよりも好ましいものであるとしてきた。しかしながら、“純粋な”ＦＨＳＳシステムは、ポーリング信号を受信するために電力需要の大きい回路を動作させ続けなければならない点に問題がある。このためＦＨＳＳ送受信機は、最も効率的に電力を保存するための真のディープスリープモードに入ることができない。逆に、ＤＳＳＳ送受信機は、厳密な周波数の精度を維持する必要はなく、またポーリング処理の間も複雑な周波数ロック又は復号化回路を必要せず、これは、ディープスリープモードの間の電力節約をさらに最適化することができる。
【００１１】
米国特許第５，６６１，７５０号（‘７５０号）の明細書は、ＤＳＳＳ技術を実装したユーティリティの計測のためのシステムについて記述しているが、このシステムは、大電力送信機を利用し、しかもＦＣＣの要件に適合するように設計されている。特に‘７５０号のシステムでは、送信機は、元の信号よりも広い帯域幅にわたって信号を拡散させるために変調器を利用して送信信号を擬似ランダムパターンで変調し、かつ第２の変調器を使用して信号のプリアンブルを位相反転パターンで変調する。位相反転パターンは、送信機によって生成されるスペクトル線の数を増大させ、これにより、放送信号の電力密度を低下させる、上記放送信号の電力密度は、ＤＳＳＳの場合はどの３ｋＨｚ帯域幅においても＋８ｄＢｍである。こうしたＤＳＳＳシステムが利点を有していることは認識されるものの、‘７５０号の発明はＤＳＳＳ送信を無差別に使用し、特に、それは、ＤＳＳＳを送受信機の効率的な起動技術としてでなく実体的なデータの送信の間に使用している。さらに、エンドポイントデータを送信するためのＤＳＳＳ技術の使用は、ＦＨＳＳシステムでは固有である信号衝突防止を取り扱うものではない。
【００１２】
イノヴォニクス（Ｉｎｏｖｏｎｉｃｓ）のタップウォッチ（ＴａｐＷａｔｃｈ）（登録商標）システム内に包含された１つのシステムは、１つのメータ読み取りネットワークにＤＳＳＳ技術とＦＨＳＳ技術との両方を利用している。しかしながらこれら２つのスペクトル拡散技術は、ネットワーク上の２つの通信ノード又は通信ポイントがＤＳＳＳ及びＦＨＳＳの両方を使用して互いに通信できるように、より大きいネットワーク内の別個のシステム・ポイントにおいて実装されていて、システム内の任意の単一の送受信機内で最適に組み合わされているのではない。イノヴォニクスの場合、各需給計器に取り付けられたエンドポイント送信機は、０．５ｍＷ未満の小電力ＦＨＳＳ送信機を利用している。複数の中間の中継器にてなるネットワークは、エンドポイント送信機から小電力ＦＨＳＳ送信信号を受信し、これらの送信信号をＤＳＳＳ送信信号に変換する。このＤＳＳＳ送信信号は、収集及び処理のために、ＦＣＣの規則に準拠して動作する大電力送信機によって基地局へ再送信される。エンドポイント送受信機と中間の中継器との間の送信は常にＦＨＳＳ信号を用いて実行され、中間の中継器と基地局との間の送信は常にＤＳＳＳ信号を用いて実行される。
【００１３】
従って、ＤＳＳＳシステム及びＦＨＳＳシステムの両方の固有の優位点及び欠点に基づいて、両方の利点を組み込んだ小電力送受信機に対する必要性が存在する。データの通信又は送信段階ではＦＨＳＳの方が好適であるが、ディープスリープモードの電力節約に関していえば、ＤＳＳＳシステムの方がより効率的に対応している。本発明は、ディープスリープモードから起動するためにＤＳＳＳ技術を利用し、遠隔の受信装置との実体的データ通信のためにＦＨＳＳ技術を利用する小電力送受信機を提案する。エンドポイント装置と遠隔の受信装置との間の通信は、１つのスペクトル拡散プロトコルに限定されない。
【００１４】
【課題を解決するための手段】
本発明は、好適なスペクトル拡散プロトコルに基づいて選択的にデータ送信を開始しながら電力を保存することができる、小電力スペクトル拡散送受信機を開示している。当該送受信機は、電力を節約するディープスリープモードにありながら、ＤＳＳＳ回路を使用して、遠隔の受信装置（受信ユニット）からのＤＳＳＳ信号の拡散コードを捜すために、予め決められた広帯域周波数を周期的にモニタリングする。適正な拡散信号を受信すると、制限されたデータ送信が開始可能になる。ＤＳＳＳ信号は、復号化可能な情報であって、かつＤＳＳＳ受信モードからＦＨＳＳ通信又は送信モードに切り換えるために利用可能な情報を含み、もしくは、ＦＨＳＳセッションは適正な起動信号の受信によって自動的に開始されることが可能である。ＦＨＳＳモードでは、エンドポイント装置（エンドポイント・デバイス）の送受信機におけるＦＨＳＳの符号化されたデータが遠隔の受信装置に伝送される。データ転送が完了すると、送受信機は小電力のスリープモードに戻り、ＤＳＳＳのモニタリングを再開する。
【００１５】
本発明に具現されている送受信機は、スペクトル拡散技術の１つの方法に依存するのではなく、他のデバイス又はユニットとの通信処理の各段階で最適なスペクトル拡散技術を利用する。受信されるＤＳＳＳ信号の拡散コードは、ＤＳＳＳを用いて通信するための複雑な復号化又は符号化回路を必要とすることなく送受信機をディープスリープから起動するのに十分であり、また送受信機から遠隔の受信装置へのデータの送信は、好適なＦＨＳＳ技術を使用して実行されることが可能である。
【００１６】
【発明の実施の形態】
図１を参照すると、本発明の好適な一実施形態では、複数のエンドポイント装置１０が複数の遠隔の受信装置２０と無線通信している。少なくとも１つの遠隔の受信装置２０は、消費量データが遠隔の装置２０にアップロードされるデータ転送を開始するために、周期的に少なくとも１つのエンドポイント装置１０に対してポーリングする。これらの多層化された無線ネットワークは当該技術において一般的であり、米国特許第５，０５６，１０７号及び第６，１７２，６１６号の明細書に例示されたシステムは参照によってここに含まれている。
【００１７】
エンドポイント装置１０は、ユーティリティの消費量データを読み取り、記憶しかつ送信するために、対応する需給計器と通信している。このようなエンドポイント装置１０は、消費量データの符号化器及び送信機として当該技術において一般的であり、一例として、こうした技術の従来のアプリケーションを実例で示すために、米国特許第５，９６３，１４６号の明細書が参照によってここに含まれている。
【００１８】
本発明のエンドポイント装置１０は、送受信機と、相関器等の復号化器とを有している。送受信機は、周期的にＤＳＳＳ信号を受信するための受信機と、主としてＦＨＳＳ信号上で消費量データを送信するための送信機とを備えている。相関器は受信機と通信し、可能な複数の予め決められた拡散コードのうちの１つに応答して送受信機を起動する。相関器は、ＤＳＳＳ信号から復号化されたデータを使用して、元のＤＳＳＳ信号を送信した遠隔の受信装置２０とのＦＨＳＳ通信を開始することができる。当業者には、ハードウェア、ソフトウェア又はこれらの組み合わせを用いることにより、復号化器（例えば相関器）はＤＳＳＳ信号内の復号化されたデータを使用してＦＨＳＳ送信プロトコルへ切り換え得るということが理解されるであろう。
【００１９】
遠隔の受信装置２０は、ＤＳＳＳ信号を送信するための送信機と、主としてＦＨＳＳ信号を受信するための受信機とを備えている。遠隔の受信装置２０は、ハンドヘルド型携帯装置、車両等の移動体装置、複数のエンドポイント装置１０のうちの少なくとも１つに地理的に近接して固定された装置、もしくは無線通信ネットワーク全体に存在するエンドポイント装置１０又は他の遠隔計測装置からデータを取得するためのものとして当業者によって理解される他の固定されたデータ収集装置又は移動体のデータ収集装置の内部に具現されることが可能である。遠隔の受信装置の使用は、当該技術における慣例である。無線メータ読み取りシステムにおける固定された遠隔の受信装置の使用の一例として、米国特許第６，１７２，６１６号及び第５，５５３，０９４号の明細書が参照によってここに含まれている。米国特許第４，６５２，８５５号及び第５，８０８，５５８号は、エンドポイントデータを遠隔した場所から収集するために使用される従来のハンドヘルド型携帯装置の例であり、参照によってここに含まれている。
【００２０】
動作に際しては、エンドポイント装置１０の送受信機は主として、ディープスリープＤＳＳＳモード、データ復号化ＤＳＳＳモード、及びデータ通信ＦＨＳＳモードの３つのモードで動作するように設けられている。エンドポイント装置１０の送受信機は、一般にディープスリープモードで始まり、かつその大部分の時間をディープスリープモードで費やす。
【００２１】
エンドポイント装置１０は、需給計器とデータ通信している。消費量データは、エンドポイント装置１０によって符号化されて記憶され、遠隔のロケーションに無線送信されてさらに送信及び／又は処理される。この符号化の段階の間、エンドポイント装置１０の送受信機は不要である。従って、エンドポイント装置１０が利用可能な貴重かつ制限された電力を節約するために、送受信機回路はディープスリープモードで動作される。ディープスリープモードでは、必要不可欠でない回路の電源はどれも断たれる。必要不可欠でない回路は、予め決められた周波数でＤＳＳＳ信号を求めて周囲の無線信号を走査する、又は“嗅ぎ分ける（ｓｎｉｆｆ）”ために、送受信機の受信機部分の電源が入った状態に維持する上で必要とされないすべての回路である。ディープスリープモードでは、無線信号の走査に必要な送受信機回路の電源ですら、周期的な走査の間であって、さらには走査の短い継続時間の間しか入にされていない。この処理は、送受信機が、トリガーするＤＳＳＳ拡散コードを検出するまで継続される。
【００２２】
適正なＤＳＳＳ信号を受信すると、データを受信する、及び／又は復号化するために、必要な送受信機回路の電源が入にされる。復号化は、相関器等の復号化器によって実行される。本開示内容を通じて相関器が参照されているが、当業者には、本発明の範囲を逸脱することなく他の復号化器も利用可能であるということが理解されるであろう。相関器は、相関器の拡散コードを使用して、受信されたＤＳＳＳ信号内に符号化されたデータを復号化し、又は逆拡散する。各ＤＳＳＳ信号内に符号化されたものは、送受信機の起動イベントを識別してトリガーし、かつＦＨＳＳ通信又は送信モードをトリガーするときに使用されるデータを供給する、対応する拡散コードである。
【００２３】
ＤＳＳＳ信号から抽出されたデータは、到来するＦＨＳＳ通信において使用するための同期化、タイミング、制御、アドレス指定及び他の情報を提供することができる。送受信機の送信機はＦＨＳＳ送信を開始し、復号化されたＤＳＳＳデータは、遠隔の受信装置２０に対する周波数ホッピングに必要な同期化の制御を提供する。このＦＨＳＳモードでは、ＦＨＳＳ回路は周波数安定性と遠隔の受信装置２０との同期とを維持する。それに加えて、好適な本実施形態は、適正な拡散コードを受信したときにＤＳＳＳ信号を復号化して同期ＦＨＳＳ通信セッションを開始するが、送受信機は、拡散コードを受信すると自動的にＦＨＳＳ通信セッションを開始することができる。
【００２４】
エンドポイント装置１０はまた、ＦＨＳＳセッションが開始されると、遠隔の受信装置２０からＦＨＳＳ信号を受信することもできる。同様に、ＦＨＳＳセッションが開始されると、遠隔の受信装置２０はエンドポイント装置１０にＦＨＳＳ信号を送信することができる。同期ＦＨＳＳ通信が開始されると、エンドポイント装置１０と遠隔の受信装置２０との間の双方向ＦＨＳＳ通信セッションが可能である。ＦＨＳＳ信号を送信するエンドポイント装置１０及びＦＨＳＳ信号を受信する遠隔の受信装置２０の説明は、単にＦＨＳＳ通信モードの開始段階を説明するために用いられたものであり、後の双方向通信を限定するものとして解釈るべきではない。
【００２５】
要求されたデータがエンドポイント装置１０から遠隔の受信局２０へ送信されると、送受信機はディープスリープモードを再び開始し、必要不可欠でないすべての送信及び受信回路の電源が断たれる。
【００２６】
本発明は、その本質的属性の精神から逸脱することなく、他の特定の形式で具現されることが可能である。従って、説明された実施形態はあらゆる点で例示的でありかつ非限定的なものとして考慮されなければならない。本発明の範囲を示すためには、上述の発明の詳細な説明ではなく添付の請求の範囲が参照される。
【図面の簡単な説明】
【図１】本発明による無線通信を示す図である。
【符号の説明】
１０…エンドポイント装置、
２０…受信装置。
【図１】
2004505551.tif 000003
【国際公開パンフレット】
2004505551.tif 000004
2004505551.tif 000005
2004505551.tif 000006
2004505551.tif 000007
2004505551.tif 000008
2004505551.tif 000009
2004505551.tif 000010
2004505551.tif 000011
2004505551.tif 000012
2004505551.tif 000013
2004505551.tif 000014
2004505551.tif 000015
2004505551.tif 000016
2004505551.tif 000017
2004505551.tif 000018
2004505551.tif 000019
2004505551.tif 000020
2004505551.tif 000021
【国際公開パンフレット（コレクトバージョン）】
2004505551.tif 000022
2004505551.tif 000023
2004505551.tif 000024
2004505551.tif 000025
2004505551.tif 000026
2004505551.tif 000027
2004505551.tif 000028
2004505551.tif 000029
2004505551.tif 000030
2004505551.tif 000031
2004505551.tif 000032
2004505551.tif 000033
2004505551.tif 000034
2004505551.tif 000035
2004505551.tif 000036
2004505551.tif 000037
2004505551.tif 000038
2004505551.tif 000039
【国際調査報告】
2004505551.tif 000040
2004505551.tif 000041